(57)【要約】【課題】基地局との距離の近い加入者局が送信あるいは受信する際に、基地局あるいは加入者局の受信側回路に過大な入力信号が到来するのを防ぐアンテナに被せるアンテナ用カバーを提供する。【解決手段】基地局１００との距離が近い加入者局１１０における加入者局アンテナ装置１に遮蔽物２を取り付けることで、加入者局１１０における送信時および受信時の信号を遮蔽物２により減衰させるように動作する。【選択図】　図１
2004048569.tif 000002
【特許請求の範囲】
【請求項１】
アンテナに入出力する電波を減衰させる遮蔽物であって、前記アンテナに取り外し可能であることを特徴とするアンテナ用カバー。
【請求項２】
前記遮蔽物は、シート状であることを特徴とする請求項１記載のアンテナ用カバー。
【請求項３】
前記遮蔽物は、スリットを設けたことを特徴とする請求項１記載のアンテナ用カバー。
【発明の詳細な説明】
【０００１】
【発明の属する技術分野】
本発明は、アンテナに入出力する電波を減衰させ、アンテナに取り外し可能であるアンテナ用カバーに関する。
【０００２】
【従来の技術】
近年のインターネットサービスの爆発的な普及に伴い、安価で高速かつ大容量の伝送を実現するアクセス網が要望されている。有線系のアクセス網は、集合住宅や過疎地での設置条件による制約のために敷設できないことがあり、無線で超高速通信を行う加入者系無線アクセスが注目されている。
【０００３】
加入者系無線アクセスでは、基地局を中心に半径数ｋｍ以内の通信エリア内に複数の加入者局をほぼ固定的に配置し、基地局と加入者局との間で通信が行われる。この場合の基地局と加入者局との間の距離は、加入者局の設置条件により様々となり、基地局と加入者局との間の距離が近い場合には、基地局あるいは加入者局の受信側回路に過大な入力信号が到来し、受信回路における不具合を生ずることがある。
【０００４】
図５は基地局と加入者局の配置位置の説明図である。基地局１００から送信された電波１０１は、通信エリア１０２内の加入者局１１０と加入者局１２０とに到達する。加入者局１１０と加入者局１２０とに到達するそれぞれの電波の信号レベルは、基地局１００とそれぞれの加入者局１１０，１２０との間の距離により定まり、数１で表される空間伝播損失分だけ減衰する。
【０００５】
空間伝播損失（ｄＢ）＝２０ｌｏｇ（４πｄｆ／ｃ）・・・（数１）
ただし、ｄは距離（ｍ）、ｆは電波の周波数（Ｈｚ）、ｃは光速（ｍ／ｓ）
【０００６】
基地局１００との距離が近い加入者局１１０では、基地局１００からの電波１０１の空間伝播損失が小さいために強電界の電波を受信することとなる。このことにより、加入者局１１０の受信側回路に過大な入力信号が到来し、受信回路における回路素子の飽和により信号歪が生じ、線形性を保つことができなくなり、受信障害を引き起こす。
【０００７】
さらに、最悪の場合には大入力の信号により回路素子の損傷などを招く虞もある。また、加入者局１１０から送信される電波１１１を基地局１００が受信する際の基地局１００の受信回路においても、同様な現象を生ずる虞がある。
【０００８】
以上の説明における線形性を確保するためには受信側のダイナミックレンジを狭めることが必要であり、加入者局では、基地局との距離に応じて可変増幅器あるいは可変減衰器を用い、送信出力レベル制御あるいは受信利得制御を行うように構成したものが従来から知られている。
【０００９】
【発明が解決しようとする課題】
しかしながら、上記従来の送信出力レベル制御あるいは受信利得制御において必要なダイナミックレンジを確保するためには、可変増幅器あるいは可変減衰器を用いて制御する必要があり、回路が複雑化して装置のコストアップを招くという課題がある。
【００１０】
この発明はこの課題を解決するためになされたもので、その目的はアンテナに入出力する電波を減衰させる遮蔽物をアンテナに被せるようなアンテナ用カバーを提供することにある。
【００１１】
【課題を解決するための手段】
前記課題を解決するためにこの発明に係るアンテナ用カバーは、アンテナに入出力する電波を減衰させる遮蔽物であって、アンテナに取り外し可能であることを特徴とする。
この発明に係るアンテナ用カバーは、アンテナに入出力する電波を減衰させる遮蔽物であって、アンテナに取り外し可能であるので、基地局との距離の近い加入者局が送信あるいは受信する際に、アンテナから送信する信号レベルおよびアンテナから受信する信号レベルを低減するように働き、基地局あるいは加入者局の受信側回路に過大な入力信号が到来するのを防ぐことができる。したがって可変増幅器あるいは可変減衰器を用いることなく受信側のダイナミックレンジを狭めることができ、コストアップを低く抑えることができる。
【００１２】
また、この発明に係る遮蔽物は、シート状であることを特徴とする。
【００１３】
この発明に係る遮蔽物は、シート状であるので、多様な形状のアンテナに対して容易に取り外し可能となる。
【００１４】
さらに、この発明に係る遮蔽物は、スリットを設けたことを特徴とする。
【００１５】
この発明に係る遮蔽物は、スリットを設けたので、電波の偏波特性に合うような位置にスリットを配置することで、電界あるいは磁界のいずれか一方をより多く減衰させるように構成することが可能である。また、スリットの幅を変えることで、電波の減衰量を調整することができる。
【００１６】
【発明の実施の形態】
以下、この発明の実施の形態を添付図面に基づいて説明する。なお、基地局と加入者局とは、図５を参照する。図１はこの発明に係るアンテナ用カバーの一実施の形態構成図である。加入者局アンテナ装置１に遮蔽物２を被せて、この遮蔽物２によって到来する電波３を減衰させる。また、加入者局アンテナ装置１より出力される電波４をも減衰させる。基地局１００との距離が近い加入者局１１０における加入者局アンテナ装置１に遮蔽物２を取り付けることで、加入者局１１０における送信時および受信時の信号を遮蔽物２により減衰させるように動作する。したがって、基地局１００あるいは加入者局１１０の受信側回路に過大な入力信号が到来するのを防ぐことができる。
【００１７】
遮蔽物２は、加入者局アンテナ装置１の電波の送出面および受信面を覆い隠すようなシート状のものであって、取り外し可能なものである。材質は、電波３および電波４を減衰させる機能を有するものであり、例えば、導電材料、磁性材料、誘電材料などの微小な粒状物を混入したプラスチックカバー、導電材料、磁性材料、誘電材料などの薄膜を付加したプラスチックカバー、これらの複合材料からなるものなどである。これらの材料を適宜選択すること、遮蔽物２の厚みを変えることで、電波の減衰量を調整することができる。
【００１８】
図２はこの発明に係るスリットを設けたアンテナ用カバーの一実施の形態構成図である。遮蔽物２は、遮蔽物２を貫通するスリット５を有する。図３はこの発明に係るスリットを設けたアンテナ用カバーの効果を示す図である。電波６は、一般に偏波特性を持ち、電界７と磁界８が直交している。遮蔽物２のスリット５をこの偏波特性に合うような位置に配置することで、電界７あるいは磁界８のいずれか一方をより多く減衰させるように構成することが可能である。また、スリットの幅を変えることで、電波の減衰量を調整することができる。
【００１９】
なお、この発明に係るアンテナ用カバーは、上記実施の形態にのみに限定するものではなく、対象とするアンテナの種類、形状、遮蔽物の材質、構成に関して、この発明の要旨を逸脱しない範囲で種々変形して実施することができる。
【００２０】
以上説明したように、この発明に係るアンテナ用カバーは、基地局１００との距離が近い加入者局１１０における送信時および受信時の信号を遮蔽物２により減衰させるように動作する。したがって、基地局あるいは加入者局の受信側回路に過大な入力信号が到来するのを防ぐことができる。
【００２１】
次に、具体的な数値例を使って、信号レベルの変化を説明する。図４はこの発明に係る送信信号のレベルダイヤグラムである。基地局１００と加入者局１１０との間の距離を５０ｍ、基地局１００と加入者局１２０との間の距離を３ｋｍ、使用周波数を２６ＧＨｚとすると、空間伝播損失はそれぞれ約９５ｄＢ、約１３０ｄＢとなる。なお、基地局１００のアンテナ利得を２０ｄＢ、加入者局１１０、１２０のアンテナ利得を３５ｄＢとする。
【００２２】
（ａ）図にアンテナ用カバーを用いない場合のレベルダイヤグラムを示す。加入者局１１０の送信信号のレベル変化１１２ａと加入者局１２０の送信信号のレベル変化１２２をそれぞれ実線と破線で表す。加入者局１１０、１２０の送信出力を２０ｄＢｍとすると、基地局１００において、それぞれ約−２０ｄＢｍ、約−５５ｄＢｍの受信電力となる。感度点が約−８０ｄＢｍであるため、加入者局１１０が支障なく通信するためには、約６０ｄＢ以上のダイナミックレンジが必要となる。
【００２３】
（ｂ）図にこの発明によるアンテナ用カバーを用いた場合のレベルダイヤグラムを示す。加入者局１１０の送信信号のレベル変化１１２ｂと加入者局１２０の送信信号のレベル変化１２２をそれぞれ実線と破線で表す。減衰が３０ｄＢであるような遮蔽物２を加入者局１１０のアンテナ装置に適用すると、加入者局１１０の送信出力は−１０ｄＢｍとなり、その結果、基地局１００において、約−５０ｄＢｍの受信電力となる。（ｂ）図に示すように（ａ）図に比べてダイナミックレンジを約３０ｄＢ低減することができ、通信障害を防止することができるようになる。
【００２４】
【発明の効果】
以上説明したように、この発明に係るアンテナ用カバーは、アンテナに入出力する電波を減衰させる遮蔽物であって、アンテナに取り外し可能であるので、基地局との距離の近い加入者局が送信あるいは受信する際に、アンテナから送信する信号レベルおよびアンテナから受信する信号レベルを低減するように働き、基地局あるいは加入者局の受信側回路に過大な入力信号が到来するのを防ぐことができる。したがって可変増幅器あるいは可変減衰器を用いることなく受信側のダイナミックレンジを狭めることができ、コストアップを低く抑えることができる。
【００２５】
また、この発明に係る遮蔽物は、シート状であるので、多様な形状のアンテナに対して容易に取り外し可能となる。
【００２６】
さらに、この発明に係る遮蔽物は、スリットを設けたので、電波の偏波特性に合うような位置にスリットを配置することで、電界あるいは磁界のいずれか一方をより多く減衰させるように構成することが可能である。また、スリットの幅を変えることで、電波の減衰量を調整することができる。
【図面の簡単な説明】
【図１】この発明に係るアンテナ用カバーの一実施の形態構成図
【図２】この発明に係るスリットを設けたアンテナ用カバーの一実施の形態構成図
【図３】この発明に係るスリットを設けたアンテナ用カバーの効果を示す図
【図４】この発明に係る送信信号のレベルダイヤグラム
【図５】基地局と加入者局の配置位置の説明図
【符号の説明】
１　加入者局アンテナ装置
２　遮蔽物
３、４、６　電波
５　スリット
７　電界
８　磁界
１００　基地局
１１０、１２０　加入者局
１０１、１１１　電波
１０２　通信エリア
【図１】
2004048569.tif 000003
【図２】
2004048569.tif 000004
【図３】
2004048569.tif 000005
【図４】
2004048569.tif 000006
【図５】
2004048569.tif 000007